(57)【要約】【課題】全体としてぼんやりとした光を照射する一方、中心付近にのみ照射領域周辺部分とは異なる色でスポット的に光を照射することができ、空間演出性の高い照明装置を提供する。【解決手段】基板と、前記基板の中心部上に配置された少なくとも１つの第１発光素子と、前記第１発光素子を取り囲むように配置され、前記第１発光素子とは異なる色の光を出射する複数の第２発光素子と、前記第１発光素子の光出射方向にそれぞれ配置された第１光学部材と、前記第２発光素子の光出射方向にそれぞれ配置され、前記第１光学部材の光出射特性とは異なる光出射特性を有する第２光学部材と、を備えること。【選択図】図１
2013171777.tif 000002
【特許請求の範囲】
【請求項１】
基板と、
前記基板の中心部上に配置された少なくとも１つの第１発光素子と、
前記第１発光素子を取り囲むように配置され、前記第１発光素子とは異なる色の光を出射する複数の第２発光素子と、
前記第１発光素子の光出射方向にそれぞれ配置された第１光学部材と、
前記第２発光素子の光出射方向にそれぞれ配置され、前記第１光学部材の光出射特性とは異なる光出射特性を有する第２光学部材と、を備えることを特徴とする照明装置。
【請求項２】
被照射物を照らす第１照射領域を前記第１光学部材から出射する光によって形成し、前記第１照射領域の周辺領域を前記第１照射領域よりも不鮮明に照らす第２照射領域を前記第２光学部材から出射する光によって形成することを特徴とする請求項１に記載の照明装置。
【請求項３】
前記第１光学部材は前記第１発光素子から出射する光を集光し、前記第２光学部材は前記第２発光素子から出射する光を前記第１光学部材に比して弱く集光することを特徴とする請求項２に記載の照明装置。
【請求項４】
前記第１光学部材は前記第１発光素子から出射する光を集光し、前記第２光学部材は前記第２発光素子から出射する光を拡散することを特徴とする請求項２に記載の照明装置。
【請求項５】
前記第１光学部材は狭角レンズ又は中角レンズであり、前記第２光学部材は広角レンズであることを特徴とする請求項２に記載の照明装置。
【請求項６】
前記第１光学部材の１／２ビーム角は３０°未満であり、前記第２光学部材の１／２ビーム角は３０°以上であることを特徴とする請求項５に記載の照明装置。
【請求項７】
前記第１発光素子及び前記第２発光素子の光軸はそれぞれ平行であることを特徴とする請求項２に記載の照明装置。
【請求項８】
前記第１発光素子及び前記第２発光素子はそれぞれ同心円状に配置されることを特徴とする請求項７に記載の照明装置。
【請求項９】
前記第１発光素子は白色光を出射し、前記第２発光素子は有色光を出射することを特徴とする請求項２に記載の照明装置。
【請求項１０】
前記第１発光素子は白色光を出射し、前記第２発光素子は青色光、黄赤色光又は赤色光を出射することを特徴とする請求項９に記載の照明装置。
【請求項１１】
前記第１発光素子は有色光を出射し、前記第２発光素子は前記第１発光素子とは異なる有色光を出射することを特徴とする請求項２に記載の照明装置。
【請求項１２】
基板と、
前記基板上においてライン状に配置された複数の第１発光素子、及び前記第１発光素子の光出射方向にそれぞれ配置された第１光学部材からなる第１照射部と、
前記複数の第１発光素子と平行であってライン状に配置され、前記第１発光素子とは異なる色の光を出射する複数の第２発光素子、及び前記第２発光素子の光出射方向にそれぞれ配置された第２光学部材からなる第２照射部と、を備え、
前記第１照射部から出射する光と前記第２照射部から出射する光とは出射特性が異なることを特徴とする照明装置。
【請求項１３】
被照射物を照らす第１照射領域を前記第１照射部から出射する光によって形成し、前記第１照射領域の周辺領域を前記第１照射領域よりも不鮮明に照らす第２照射領域を前記第２照射部から出射する光によって形成することを特徴とする請求項１２に記載の照明装置。
【請求項１４】
前記第２発光素子は、ライン状に配置された前記第１発光素子を挟むようにして、前記第１発光素子と平行であってライン状に配置されることを特徴とする請求項１３に記載の照明装置。
【請求項１５】
前記第２発光素子は、ライン状に配置された前記第１発光素子を挟むようにして、前記第１発光素子と同一のライン状に配置されることを特徴とする請求項１３に記載の照明装置。
【発明の詳細な説明】
【技術分野】
【０００１】
本発明は、ＬＥＤ（Light Emitting Diode）等の発光素子を複数備える照明装置に関する。本発明および本明細書における色名については、ＪＩＳ Ｚ ８１１０：１９９５「色の表示方法−光源色の色名」により定義された色度の色名による。
【背景技術】
【０００２】
従来、一般照明装置として、ＬＥＤ等の発光素子を複数備えたダウンライト、ユニバーサルダウンライト、及びスポットライト等の照明装置が広く用いられており、数多くの改良がなされている。このような照明装置の改良例として、例えば、特許文献１に記載のダウンライトや特許文献２に記載のスポットライトが提案されている。
【０００３】
特許文献１に記載されたダウンライトは、例えば、照明器具のコンパクト化を妨げることなく、実装基板と枠体との間の絶縁距離を伸ばすことができるようにしたものである。また、特許文献２に記載されたスポットライトにおいては、例えば、ＬＥＤの発光面に対向する位置に設置される円錐状のレンズにより、ＬＥＤから当該レンズの反射面に到達した光が、光軸から離れる向きに反射するように構成されている。このような構成により、当該スポットライトにおいては、当該反射面で反射した光のうち、レンズの中央部に設置された出射凹部に向かう光が少なくなるため、出射凹部の径をより大きくすることが可能になる。
【先行技術文献】
【特許文献】
【０００４】
【特許文献１】特開２０１１−２２８１２８号公報
【特許文献２】特開２０１１−１８７１６５号公報
【発明の概要】
【発明が解決しようとする課題】
【０００５】
一方、近年の一般照明装置においては、従来のように均一な光を照射する照明装置のみならず、空間を演出する照明装置が望まれている。しかしながら、従来の均一な光を照射するダウンライト等において、例えば、全体として暗い空間イメージとした場合には、照射すべき物体までくすんで見えてしまい、物体を映えさせることができない等、所望の空間イメージに合った光を照射することができないという問題がある。
【０００６】
本発明はこのような課題に鑑みてなされたものであり、その目的とするところは、全体としてぼんやりとした光を照射する一方、照射領域周辺部分とは異なる色の光によって中心付近のみをスポット的に照射することができ、空間演出性の高い照明装置を提供することにある。
【課題を解決するための手段】
【０００７】
上記の目的を達成するべく、本発明の照明装置は、基板と、前記基板の中心部上に配置された少なくとも１つの第１発光素子と、前記第１発光素子を取り囲むように配置され、前記第１発光素子とは異なる色の光を出射する複数の第２発光素子と、前記第１発光素子の光出射方向にそれぞれ配置された第１光学部材と、前記第２発光素子の光出射方向にそれぞれ配置され、前記第１光学部材の光出射特性とは異なる光出射特性を有する第２光学部材と、を備えることを特徴とする。
【０００８】
上述した照明装置においては、被照射物を鮮明に照らす第１照射領域を前記第１光学部材から出射する光によって形成し、前記第１照射領域の周辺領域を照らす第２照射領域を前記第２光学部材から出射する光によって形成することが好ましい。
【０００９】
上述した照明装置において、前記第１光学部材は前記第１発光素子から出射する光を集光し、前記第２光学部材は前記第２発光素子から出射する光を前記第１光学部材に比して弱く集光してもよく、又は前記第１光学部材は前記第１発光素子から出射する光を集光し、前記第２光学部材は前記第２発光素子から出射する光を拡散してもよい。
【００１０】
上述した照明装置において、前記第１光学部材は狭角レンズ又は中角レンズであり、前記第２光学部材は広角レンズであってもよい。この場合に、前記第１光学部材の１／２ビーム角は３０°未満であり、前記第２光学部材の１／２ビーム角は３０°以上であってもよい。
【００１１】
上述した照明装置において、前記第１発光素子及び前記第２発光素子の光軸はそれぞれ平行であってもよい。この場合に、前記第１発光素子及び前記第２発光素子はそれぞれ同心円状に配置されてもよい。
【００１２】
上述した照明装置において、前記第１発光素子は白色光を出射し、前記第２発光素子は有色光を出射してもよい。この場合に、前記第２発光素子は青色光、黄赤色光又は赤色光を出射してもよい。また、上述した照明装置において、前記第１発光素子は有色光を出射し、前記第２発光素子は前記第１発光素子とは異なる有色光を出射してもよい。
【００１３】
また、上記の目的を達成するべく、本発明の照明装置は、基板と、前記基板上においてライン状に配置された複数の第１発光素子、及び前記第１発光素子の光出射方向にそれぞれ配置された第１光学部材からなる第１照射部と、前記複数の第１発光素子と平行であってライン状に配置され、前記第１発光素子とは異なる色の光を出射する複数の第２発光素子、及び前記第２発光素子の光出射方向にそれぞれ配置された第２光学部材からなる第２照射部と、を備え、前記第１照射部から出射する光と前記第２照射部から出射する光とは出射特性が異なることを特徴とする。
【００１４】
上述した照明装置においては、被照射物を鮮明に照らす第１照射領域を前記第１照射部から出射する光によって形成し、前記第１照射領域の周辺領域を照らす第２照射領域を前記第２照射部から出射する光によって形成してもよい。
【００１５】
上述した照明装置において、前記第２発光素子は、ライン状に配置された前記第１発光素子を挟むようにして、前記第１発光素子と平行であってライン状に配置されてもよい。また、前記第２発光素子は、ライン状に配置された前記第１発光素子を挟むようにして、前記第１発光素子と同一のライン状に配置されてもよい。
【発明の効果】
【００１６】
上述した構成とすることにより、本発明である照明装置は、全体としてぼんやりとした光を照射する一方、照射領域周辺部分とは異なる色の光によって中心付近のみをスポット的に照射することにより、高い空間演出を行うことができる。
【００１７】
本発明である照明装置は、様々な発光色を有する第１発光素子及び第２発光素子を選択して用いることができるため、照明装置の使用用途及び状況に合わせて色の異なる様々な空間演出を行うことができる。
【図面の簡単な説明】
【００１８】
【図１】実施例に係るダウンライトの概略を示す斜視図である。
【図２】実施例に係るダウンライトの側面図である。
【図３】実施例に係るダウンライトの正面図である。
【図４】実施例に係るダウンライトを構成するＬＥＤモジュール２の正面図である。
【図５】図４の線V-Vに沿ったＬＥＤモジュールの断面図である。
【図６】実施例に係るダウンライトを構成するＬＥＤモジュール２の分解図である。
【図７】実施例に係るダウンライトを構成するＬＥＤモジュールのレンズホルダ１５の正面図である。
【図８】図７の線VIII-VIIIに沿ったレンズホルダの断面図である。
【図９】実施例に係るダウンライトを構成するＬＥＤモジュールの第１レンズの正面図である。
【図１０】実施例に係るダウンライトを構成するＬＥＤモジュールの第１レンズの側面図である。
【図１１】図９の線XI-XIに沿った第１レンズ１６の断面図である。
【図１２】実施例に係るダウンライトを構成するＬＥＤモジュールの電気回路図である。
【図１３】被照射物における光の照射領域の分布を示した模式図である。
【図１４】図４と同様にして示した変形例１に係るＬＥＤモジュールの正面図である。
【図１５】図１５は図１４における線XV-XVに沿った断面図である。
【図１６】変形例２に係るＬＥＤモジュールの正面図である。
【図１７】図１６の線XVII-XVIIに沿った断面図である。
【図１８】被照射物における光の照射領域の分布を示した模式図である。
【図１９】変形例２に係るＬＥＤモジュールの他の形態の正面図である。
【図２０】変形例２に係るＬＥＤモジュールの他の形態の正面図である。
【発明を実施するための形態】
【００１９】
以下、図面を参照し、本発明の実施の形態について、実施例及び各変形例に基づき詳細に説明する。なお、本発明は以下に説明する内容に限定されるものではなく、その要旨を変更しない範囲において任意に変更して実施することが可能である。また、実施例及び各変形例の説明に用いる図面は、いずれも本発明による照明装置を模式的に示すものであって、理解を深めるべく部分的な強調、拡大、縮小、又は省略などを行っており、各構成部材の縮尺や形状等を正確に表すものとはなっていない場合がある。更に、実施例及び各変形例で用いる様々な数値及び数量は、いずれも一例を示すものであり、必要に応じて様々に変更することが可能である。
【００２０】
＜実施例＞
（照明装置の構成）
図１は本発明に係る照明装置としてのダウンライト１の概略を示す斜視図であり、図２は本発明に係る照明装置としてのダウンライト１の側面図であり、図３は、本発明に係る照明装置としてのダウンライト１の正面図である。図１乃至図３に示すように、ダウンライト１は、ＬＥＤ（Light Emitting Diode）モジュール２、及びＬＥＤモジュール２を保持する本体３から構成されている。
【００２１】
ダウンライト１の本体３は、ＬＥＤモジュール２が収納される開口４を備える筐体５と、開口４の外縁に沿って設けられた外枠６と、筐体５を天井等の設置箇所に固定するための３つの固定部材７と、から構成されている。筐体５は、金属又はプラスチック部材からなり、ダウンライト１の使用環境及び使用用途に応じた強度を有している。図１及び図３に示すように、筐体５の開口４の平面形状は円形状であり、全体的な形状は円柱状である。また、外枠６は、リング状の枠部材から構成され、その材料は金属又はプラスチック部材であり、ダウンライト１の使用環境及び使用用途に応じた強度を有している。図１及び図２に示すように、固定部材７は、筐体５と外枠６との接合部分から外側に向かって延在し、折り曲げられた形状を有するバネ等の弾性体から構成されている。このような固定部材７の構造により、ダウンライト１を天井等の設置箇所に取り付ける際に、当該設置箇所に設けられた開口に固定部材７が嵌着され、ダウンライト１が当該設置箇所に固定されることになる。
【００２２】
なお、ダウンライト１の外観構造は図１乃至図３に示されている形状に限定されることなく、一般的に知られているダウンライトの形状を採用してもよい。すなわち、ＬＥＤモジュール２を収納及び保持することができる本体であれば、上述したような構造に限定されることなく、ダウンライト１の使用環境及び使用用途に応じてその構造を適宜選択することができる。
【００２３】
（ＬＥＤモジュール）
次に、図４乃至図６を参照しつつＬＥＤモジュール２の構造を詳細に説明する。図４は、本実施例のダウンライト１を構成するＬＥＤモジュール２の正面図である。また、図５は、図４の線V-Vに沿ったＬＥＤモジュール２の断面図である。更に、図６は、ＬＥＤモジュール２の分解図である。
【００２４】
図４乃至図６に示すように、ＬＥＤモジュール２は、基板１１上に６個の第１ＬＥＤ１２及び１０個の第２ＬＥＤ１３を設けてなる発光体部１４と、レンズホルダ１５上に６個の第１レンズ１６及び１０個の第２レンズ１７を設けてなる光学体部１８と、をネジ等の接合部材（図示せず）によって接合した構造を有している。
【００２５】
発光体部１４においては、基板１１の中心部上に６個の第１ＬＥＤ１２が同心円状に配置され、６個の第１ＬＥＤ１２を取り囲むように１０個の第２ＬＥＤ１３が同心円状に配置されている。すなわち、第１ＬＥＤ１２が基板１１の中心側に配置され、第２ＬＥＤ１３が基板１１の外縁側に配置されている。また、基板１１上には外部接続端子１９が設けられ、外部接続端子１９には第１ＬＥＤ１２及び第２ＬＥＤ１３に電力を供給するための電力配線が接続されている。なお、第１ＬＥＤ１２及び第２ＬＥＤ１３は、基板１１上にパターニングされた配線（図示せず）により、外部接続端子１９に接続されている。第１ＬＥＤ１２及び第２ＬＥＤ１３の接続関係については、電気回路図を参照しつつ後述する。また、当該電力配線は、筐体５に設けられた引き出し用の開口（図１乃至図３には図示せず）からダウンライト１の外側に引き出され、所望の外部電源等に接続されている。
【００２６】
基板１１としては、例えば、アルミ材、絶縁層、及び銅箔を順次積層して形成されるアルミ基板、又はその他の金属基板を用いることができる。特に、当該アルミ基板は、熱伝導性、耐熱性、加工性、及び耐電圧性に優れており、ＬＥＤモジュール２の発光特性及び信頼性の向上に寄与する。なお、基板１１は、上述したような金属基板に限られることなく、ガラス基板等の絶縁基板を用いてもよい。この場合には、各ＬＥＤから出射する光がガラス基板を透過することがないように、ガラス基板上に反射層を形成することが好ましい。
【００２７】
本実施例において、第１ＬＥＤ１２は、ＪＩＳ Ｚ ８１１０：１９９５における色度xが0.3105、色度yが0.3160であり、色温度が約６７００Ｋ（ケルビン）の白色光を出射する発光素子である。具体的には、第１ＬＥＤ１２は、青色ＬＥＤチップと当該青色ＬＥＤチップを覆う黄色蛍光体材料を有しており、当該青色ＬＥＤチップから出射する青色光によって黄色蛍光体材料を励起させて黄色光を出射し、青色光及び黄色光を合成して白色光（すなわち、合成光）を出射する。なお、このような構成以外にも、第１ＬＥＤ１２は、近紫外ＬＥＤチップと当該近紫外ＬＥＤチップを覆うＲＧＢ蛍光体材料を有し、当該近紫外ＬＥＤチップから出射する近紫外光によってＲＧＢ蛍光体材料を励起させて青色光、緑色光、及び赤色光を出射し、青色光、緑色光、及び赤色光を合成して白色光を出射するような発光素子であってもよい。更に、第１ＬＥＤ１２は、赤色ＬＥＤチップ、緑色ＬＥＤチップ、及び青色ＬＥＤチップを有しており、各ＬＥＤチップから出射する赤色光、緑色光、及び青色光を合成して白色光を出射するような発光素子であってもよい。
【００２８】
第２ＬＥＤ１３は、ＪＩＳ Ｚ ８１１０：１９９５における色度xが0.1440、色度yが0.0870の青色光（うすい青色、青みの白色であってもよい。）を出射する発光素子である。具体的に、第２ＬＥＤ１３は、ＩｎＧａＮ半導体が発光層に用いられるＧａＮ系ＬＥＤチップを有し、ピーク波長が約４３５ｎｍ〜４８０ｎｍの青色光を出射する。なお、このような構成以外にも、第１ＬＥＤ１２は、近紫外ＬＥＤチップと当該近紫外ＬＥＤチップを覆う青色蛍光体材料を有し、当該近紫外ＬＥＤチップから出射する近紫外光によって青色蛍光体材料を励起させて青色光を出射するような発光素子であってもよい。
【００２９】
光学体部１８においては、レンズホルダ１５の中心部上に６個の第１レンズ１６が同心円状に配置され、６個の第１レンズ１６を取り囲むように１０個の第２レンズ１７が同心円状に配置されている。すなわち、第１レンズ１６がレンズホルダ１５の中心側に配置され、第２レンズ１７がレンズホルダ１５の外縁側に配置されている。ここで、発光体部１４と光学体部１８とを接合した状態において、１つの第１ＬＥＤ１２に対して１つの第１レンズ１６が対向し、１つの第２ＬＥＤ１３に対して１つの第２レンズ１７が対向する。すなわち、第１ＬＥＤ１２の光出射方向に１つの第１レンズ１６が配置され、第２ＬＥＤ１３の光出射方向に１つの第２レンズ１７が配置されることになる。このような構成により、１つのＬＥＤと１つのレンズとが対応するように組をなして照射部を構成し、１つのＬＥＤから出射する光は、それに対応する１つのレンズを介して出射することになる。
【００３０】
次に、レンズホルダ１５について、図７及び図８を参照しつつ説明する。図７は、本実施例のダウンライト１を構成するＬＥＤモジュール２のレンズホルダ１５の正面図である。また、図８は、図７の線VIII-VIIIに沿ったレンズホルダ１５の断面図である。
【００３１】
レンズホルダ１５は、透光性を有する部材から構成されており、例えば、透明ガラス基板又は透明プラスチック基板等の透明基板を用いることができる。このような部材をレンズホルダ１５に用いることにより、第１ＬＥＤ１２及び第２ＬＥＤ１３から出射する光がレンズホルダ１５で吸収又は反射されることがなくなり、ダウンライト１の光出射面側に効率よく照射光を導くことが可能になる。
【００３２】
図７及び図８に示すように、レンズホルダ１５は、第１ＬＥＤ１２及び第２ＬＥＤ１３が配置される部分に、第１レンズ１６及び第２レンズ１７の一部分が嵌め込まれるための凹部２１が形成されている。レンズホルダ１５に形成された凹部２１は、レンズホルダ１５の第１の面１５ａから第２の面１５ｂに向かって、開口径が徐々に小さくなっている。これは、凹部２１の形状を第１レンズ１６及び第２レンズ１７の形状に合わせるためであり、これによってレンズホルダ１５の凹部２１と第１レンズ１６及び第２レンズ１７とが密着することになり、接着材等の接合部材等を用いて第１レンズ１６及び第２レンズ１７をレンズホルダ１５に対して強固に取り付けることが可能になる。
【００３３】
次に、図９乃至図１１を参照しつつ、第１レンズ１６及び第２レンズ１７について説明する。図９は、本実施例のダウンライト１を構成するＬＥＤモジュール２の第１レンズ１６の正面図である。また、図１０は、本実施例のダウンライト１を構成するＬＥＤモジュール２の第１レンズ１６の側面図である。更に、図１１は、図９の線XI-XIに沿った第１レンズ１６の断面図である。
【００３４】
図９乃至図１１に示すように、第１レンズ１６は、全体として略半球状の形状を有し、光出射面１６ａ側に複数の単レンズを縦及び横方向に配列した構造を有するフライアイレンズである。また、図１１に示すように、第１レンズ１６は、光入射面１６ｂ側に開口１６ｃが形成されている。そして、開口１６ｃの底面は、凸レンズを形成するように、光入射面１６ｂ側に向けて突出している。発光体部１４及び光学体部１８を接合した状態のＬＥＤモジュール２においては、第１レンズ１６の開口１６ｃ部分に対向するように、第１ＬＥＤ１２が配置されることになる。
【００３５】
第１レンズ１６には、出射光の広がりが比較的に小さい狭角レンズ又は中角レンズを用いることが好ましい。特に、レンズの１／２のビーム角が３０°未満のレンズを用いることが好ましく、本実施例においては、レンズの１／２ビーム角が２５°の中角レンズを第１レンズ１６として用いている。
【００３６】
第１レンズ１６の原材料としては、例えば、硼珪酸ガラス（ＢＫ７）又は合成石英を用いることができるが、これらに限定されることなく、一般的に使用されている様々なレンズ材料を用いることができる。
【００３７】
第２レンズ１７は、その外形が第１レンズ１６とほぼ同一であって、上述した構造を有するフライアイレンズであるため、図面を用いた第２レンズ１７の構造の説明を省略する。第２レンズ１７は、第１レンズ１６とは異なり、広角レンズを用いることが好ましい。特に、レンズの１／２のビーム角が３０°以上のレンズを用いることが好ましく、本実施例においては、レンズの１／２ビーム角が５０°の広角レンズを第２レンズ１７として用いている。従って、第２レンズ１７は、第１レンズ１６とは異なる光出射特性を有し、第１レンズ１６における集光率よりも、第２レンズにおける集光率の方が低くなっている。換言すれば、第１レンズ１６が第１ＬＥＤ１２から出射された光を集光する場合と比較して、第２レンズ１７は第２ＬＥＤ１３から出射された光を弱く集光することになる。
【００３８】
なお、本実施例においては、第１レンズ１６及び第２レンズ１７を略半球状のフライアイレンズとしていたが、その外形は限定されることなく、例えば、レンズの側面が回転放物面であってもよい。また、本実施例においては、第１ＬＥＤ１２及び第２ＬＥＤ１３から出射された光を集光するために、第１レンズ１６及び第２レンズ１７をフライアイレンズとしたが、光を集光することができるフレネルレンズ、又は一般的な両凸レンズ若しくは平凸レンズを用いてもよい。
【００３９】
（電気回路図）
次に、図１２を参照しつつＬＥＤモジュール２の電気回路構成を説明する。図１２は、ＬＥＤモジュール２の電気回路図である。図１２に示すように、第１ＬＥＤ１２及び第２ＬＥＤ１３は、２つの外部接続端子１９間において互いに並列に接続されている。より具体的には、第１ＬＥＤ１２及び第２ＬＥＤ１３のアノード同士が接続されるとともに、各アノードが外部接続端子１９の一方に接続している。また、第１ＬＥＤ１２及び第２ＬＥＤ１３のカソード同士が接続されるとともに、各カソードが外部接続端子１９の他方に接続している。
【００４０】
なお、ＬＥＤモジュール２の回路構成は、上述したような並列回路に限られることなく、第１ＬＥＤ１２及び第２ＬＥＤ１３を直列に接続した直列回路であってもよい。また、第１ＬＥＤ１２同士を並列に接続し、第２ＬＥＤ１３同士を並列に接続し、第１ＬＥＤ１２の並列回路及び第２ＬＥＤ１３の並列回路を直列に接続するような複合回路であってもよく、他の構成の直列回路及び並列回路の組合せからなる複合回路であってもよい。ＬＥＤモジュール２の回路構成は、ダウンライト１である照明装置の使用用途、及び使用状況に応じて適宜選択することができる。
【００４１】
また、第１ＬＥＤ１２及び第２ＬＥＤ１３に供給される電流を変化させることにより、ダウンライト１から出射する光を調光してもよい。このような場合には、ＬＥＤモジュール２の内部に電流調整回路を設けてもよく、或いはＬＥＤモジュール２に供給される電流をダウンライト１の外部で調整してもよい。更に、６個の第１ＬＥＤ１２からなる回路と、１０個の第２ＬＥＤ１３からなる回路とを電気的に独立して形成し、各回路に供給される電流量を調整して白色光及び青色光の調光を独立して行えるようにしてもよい。
【００４２】
（被照射物における照射面）
次に、図５及び図１３を参照しつつ、本実施例のダウンライト１を使用して被照射物に対して光を照射した場合に、被照射物に対してどのように光が照射されるか、換言するとどのような照射面が被照射物に形成されるかについて説明する。図１３は、被照射物における光の照射領域の分布を示した模式図である。
【００４３】
上述したように、本実施例のダウンライト１を構成するＬＥＤモジュール２において、基板１１の中心部上、すなわち基板１１の表面上の内側部分に配置された第１ＬＥＤ１２から出射された白色光は、第１レンズ１６を介して被照射物に向けて出射する。本実施例において、第１レンズ１６の１／２ビーム角は２５°であって比較的に小さいことから、図５に示すように、第１レンズ１６から出射する白色光は、第１レンズ１６の光出射面１６ａから広がることがほぼなく、概ね光出射面１６ａに直交する方向に出射する。
【００４４】
一方、本実施例のダウンライト１を構成するＬＥＤモジュール２において、基板１１の外縁部上、すなわち基板１１の表面上の外側部分に配置された第２ＬＥＤ１３から出射された青色光は、第２レンズ１７を介して被照射物に向けて出射する。本実施例において、第２レンズ１７の１／２ビーム角は５０°であって比較的に大きいことから、図５に示すように、第２レンズ１７から出射する青色光は、第２レンズ１７の光出射面１７ａから広がり、光出射面１７ａに対して直交する方向及び傾斜する方向に出射する。従って、第２レンズ１７から出射する青色光の光軸は、第１レンズ１６から出射する白色光の光軸と平行である。
【００４５】
図５に示すような矢印の方向に向かって白色光及び青色光が出射することにより、被照射物には、図１３に示すような２つの照射領域が形成される。具体的には、被照射物を白色光によって鮮明に照らす第１照射領域３１と、第１照射領域３１の周辺領域を青色光によって照らす第２照射領域３２と、が形成される。ここで、第２レンズ１７から出射する青色光の一部は、第１レンズ１６から照射される白色光の光路に向かって出射することから、当該青色光の一部は第１照射領域３１にも到達しているとも考えられるが、第１レンズ１６から出射する白色光と比較してその光量が少ないため、第１照射領域３１の形成にはほとんど寄与することがない。また、第２照射領域３２は、第１照射領域３１との境界から外側に向かうにつれて第２レンズ１７から照射する青色光の光量が徐々に少なくなるため、第１照射領域３１との境界から外側に向かうにつれて徐々に薄暗い青色になる。更に、第１照射領域３１と第２照射領域３２との境界周辺は、第１照射領域３１から第２照射領域３２に向かうにつれて白色から青色へのグラデーションを有する。
【００４６】
このような第１照射領域３１及び第２照射領域３２が被照射物に形成されることにより、被照射物は全体的に青色光でぼんやりと照らされるとともに、ダウンライト１によって照らされている被照射物の中心部分が白色光によってスポット的に明るく照らされる。従って、被照射物の特に強調したい部分が白色光によって鮮明に照らし出され、青色光によって他の周辺部分が当該強調したい部分よりも不鮮明に（ぼんやりと）照らし出されるため、全体として高い空間演出を行うことが可能になる。本実施例のような照射面を形成するダウンライト１は、特に、水槽用の照明に好適に用いられることになる。
【００４７】
なお、上述した実施例においては、照明装置としてダウンライトを一例として説明したが、本発明に係る照明装置は、ダウンライト以外にも、スポットライト及びユニバーサルダウンライト等の様々な一般照明装置に適用することができる。
【００４８】
また、上述した実施例においては、第１ＬＥＤ１２の発光色を白色とし、第２ＬＥＤ１３の発光色を青色としていたが、被照射物に上述したような２つの照射領域を形成することができれば、これらの発光色に限定されることはない。例えば、第１ＬＥＤ１２の発光色を白色とした場合には、第２ＬＥＤ１３の発光色を黄赤色、赤色、緑色等の有色としたり、第１ＬＥＤ１２の発光色とは色温度の異なる白色としてもよい。このような場合であっても、照射光の中心部分が白色光となり、被照射物の一部をスポット的であって鮮明に照らし出すことができる。更に、第１ＬＥＤ１２の発光色を青色、黄赤色、赤色、緑色等の有色とした場合には、第２ＬＥＤ１３の発光色を第１ＬＥＤ１２の発光色とは異なる有色としてもよい。また、色には色相・明度・彩度の３要素があるため、上述した第１ＬＥＤ１２と第２ＬＥＤ１３との色の色相の異なる組み合わせのみならず、第１ＬＥＤ１２と第２ＬＥＤ１３との彩度や明度の異なる組み合わせも好ましい態様の１つである。このような場合には、第１ＬＥＤ１２から出射する光の輝度を第２ＬＥＤ１３から出射する光の輝度よりも大きくしたり、又は第２レンズ１７の１／２のビーム角をできる限り大きくすることにより、第２照射領域３２を第１照射領域３１よりも暗く且つ不鮮明にする必要がある。このように、様々な発光色を有する第１ＬＥＤ及び第２ＬＥＤを選択して用いることができるため、照明装置であるダウンライト１の使用用途及び状況に合わせて色の異なる様々な空間演出を行うことが可能になる。
【００４９】
そして、上述した実施例においては、第１レンズ１６及び第２レンズ１７を集光レンズとしていたが、第２レンズ１７について、第１レンズ１６とは異なる光出射特性とするためには、集光レンズに限定されることなく、拡散レンズとしてもよい。第２レンズ１７を拡散レンズとしても、第２レンズ１７から出射する光により、第１照射領域３１を囲むように、第１照射領域３１よりも暗く且つ不鮮明な第２照射領域３２を形成することができるからである。
【００５０】
更に、上述した実施例において、第１ＬＥＤ１２同士、第２ＬＥＤ１３同士、第１レンズ１６同士、及び第２レンズ１７同士は、それぞれ同心円状に配置されていが、このような配置構成に限定されることなく、例えば、各部材ごとに、同一の楕円の円周状に配置してもよい。また、複数の第１ＬＥＤ１２を基板１１の中央部上に均一又はランダムに分布させ、第１ＬＥＤ１２が配置されている領域を囲むように第２ＬＥＤ１３を均一又はランダムに分布させ、第１レンズ１６をレンズホルダ１５の中央部上に均一又はランダムに分布させ、第１レンズ１６が配置されている領域を囲むように第２レンズ１７を均一又は連ダムに分布させてもよい。上述したような場合であっても、第１ＬＥＤ１２と第１レンズ１６とを１対１で対応させ、第２ＬＥＤ１３と第２レンズ１７とが１対１で対応させる必要がある。
【００５１】
また、上述した実施例において、第１照射領域３１を第１レンズ１６から出射する光によって形成し、第２照射領域３２を第２レンズ１７から出射する光によって形成していたが、第１レンズ１６及び第２レンズ１７から出射する光によって第１照射領域３１を形成してもよい。このような場合には、第２レンズ１７から出射する光よりも第１レンズ１６から出射する光の方が、第１照射領域３１の形成に影響するように各光の輝度、並びに第１レンズ１６及び第２レンズ１７の１／２のビーム角を調整する必要がある。第２照射領域３２についても同様であり、第１レンズ１６及び第２レンズ１７から出射する光によって第１照射領域３２を形成してもよいが、第１レンズ１６から出射する光よりも第２レンズ１７から出射する光の方が、第２照射領域３２の形成に影響するように各光の輝度、並びに第１レンズ１６及び第２レンズ１７の１／２のビーム角を調整する必要がある。
【００５２】
＜変形例１＞
実施例に係るダウンライト１においては、被照射物を全体的に青色光でぼんやりと照らしつつ被照射物の中心部分を白色光によってスポット的に明るく照らすことにより、水槽として好適に用いられることになっていたが、他の用途に好適なダウンライトを構成するＬＥＤモジュール１０２について、図１４及び図１５を参照しつつ説明する。図１４は、図４と同様にして示した変形例１に係るＬＥＤモジュール１０２の正面図であり、図１５は図１４における線XV-XVに沿った断面図である。なお、変形例１に係るＬＥＤモジュール１０２は、実施例に係るＬＥＤモジュール２と比較して、第１ＬＥＤ及び第２ＬＥＤの数量、第２ＬＥＤの発光色、並びに第１レンズ及び第２レンズの数量が異なるだけであって、他の構成部材はＬＥＤモジュール２と同一であるため、ＬＥＤモジュール２と同一の構成部材については同一の符号を付し、その説明を省略する。
【００５３】
ＬＥＤモジュール１０２は、基板１１上に１個の第１ＬＥＤ１２及び７個の第２ＬＥＤ１１３を設けてなる発光体部１１４と、レンズホルダ１１５上に１個の第１レンズ１６及び７個の第２レンズ１７を設けてなる光学体部１１８と、をネジ等の接合部材（図示せず）によって接合した構造を有している。
【００５４】
発光体部１１４においては、基板１１の中心部上に１個の第１ＬＥＤ１２が配置され、１個の第１ＬＥＤ１２を取り囲むように７個の第２ＬＥＤ１１３が同心円状に配置されている。すなわち、第１ＬＥＤ１２が基板１１の中心側に配置され、第２ＬＥＤ１１３が基板１１の外縁側に配置されている。
【００５５】
第２ＬＥＤ１１３は、ＪＩＳ Ｚ ８１１０：１９９５における色度xが0.5378、色度yが0.4112であり、色温度が約１９００Ｋ（ケルビン）の黄赤色光（うすい黄赤色光、黄みの白色であってもよい。）を出射する発光素子である。具体的に、第２ＬＥＤ１１３は、ＡｌＧａＩｎＰ系ＬＥＤチップやＧａＡｓＰ系ＬＥＤチップを有し、ピーク波長が約５９５ｎｍ〜６０５ｎｍの黄赤色光を出射する。なお、このような構成以外にも、第１ＬＥＤ１２は、近紫外ＬＥＤチップと当該近紫外ＬＥＤチップを覆うＲＧＢ蛍光体材料を有し、当該近紫外ＬＥＤチップから出射する近紫外光によってＲＧＢ蛍光体材料を励起させて青色光、緑色光、及び赤色光を出射し、青色光、緑色光、及び赤色光を合成して黄赤色光を出射するような発光素子であってもよい。
【００５６】
光学体部１１８においては、レンズホルダ１１５の中心部上に１個の第１レンズ１６が配置され、１個の第１レンズ１６を取り囲むように７個の第２レンズ１７が同心円状に配置されている。すなわち、第１レンズ１６がレンズホルダ１１５の中心側に配置され、第２レンズ１７がレンズホルダ１１５の外縁側に配置されている。実施例と同様に、発光体部１１４と光学体部１１８とを接合した状態において、１つの第１ＬＥＤ１２に対して１つの第１レンズ１６が対向し、１つの第２ＬＥＤ１１３に対して１つの第２レンズ１７が対向する。すなわち、第１ＬＥＤ１２の光出射方向に１つの第１レンズ１６が配置され、第２ＬＥＤ１１３の光出射方向に１つの第２レンズ１７が配置されることになる。このような構成により、１つのＬＥＤと１つのレンズとが対応するように組をなして照射部を構成し、１つのＬＥＤから出射する光は、それに対応する１つのレンズを介して出射することになる。
【００５７】
レンズホルダ１１５は、実施例に係るレンズホルダ１５と比較して、レンズが配置される凹部の数量及び位置が異なるだけである。従って、レンズホルダ１１５は、レンズホルダ１５と同様に、透光性を有する部材から構成されており、例えば、透明ガラス基板又は透明プラスチック基板等の透明基板を用いることができる。
【００５８】
実施例と同様に、本変形例に係るＬＥＤモジュール１０２において、基板１１の中心部上、すなわち基板１１の表面上の内側部分に配置された第１ＬＥＤ１２から出射された白色光は、第１レンズ１６を介して被照射物に向けて出射する。本変形例において、第１レンズ１６の１／２ビーム角は２５°であって比較的に小さいことから、図１５に示すように、第１レンズ１６から出射する白色光は、第１レンズ１６の光出射面１６ａから広がることがほぼなく、概ね光出射面１６ａに直交する方向に出射する。
【００５９】
一方、本変形例に係るＬＥＤモジュール１０２において、基板１１の外縁部上、すなわち基板１１の表面上の外側部分に配置された第２ＬＥＤ１１３から出射された黄赤色光は、第２レンズ１７を介して被照射物に向けて出射する。本変形例において、第２レンズ１７の１／２ビーム角は５０°であって比較的に大きいことから、図１５に示すように、第２レンズ１７から出射する黄赤色光は、第２レンズ１７の光出射面１７ａから広がり、光出射面１７ａに対して直交する方向及び傾斜する方向に出射する。従って、第２レンズ１７から出射する黄赤色光の光軸は、第１レンズ１６から出射する白色光の光軸と平行である。
【００６０】
図１５に示すような矢印の方向に向かって白色光及び黄赤色光が出射することにより、被照射物には、実施例と同様に２つの照射領域が形成される。具体的には、図１３に示すように、被照射物を白色光によって鮮明に照らす第１照射領域３１と、第１照射領域３１の周辺領域を黄赤色光によって照らす第２照射領域１３２と、が形成される。ここで、第２レンズ１７から出射する黄赤色光の一部は、第１レンズ１６から照射される白色光の光路に向かって出射することから、当該黄赤色光の一部は第１照射領域３１にも到達しているとも考えられるが、第１レンズ１６から出射する白色光と比較してその光量が少ないため、第１照射領域３１の形成にはほとんど寄与することがない。また、第２照射領域１３２は、第１照射領域３１との境界から外側に向かうにつれて第２レンズ１７から照射する黄赤色光の光量が徐々に少なくなるため、第１照射領域３１との境界から外側に向かうにつれて徐々に薄暗い黄赤色になる。
【００６１】
このような第１照射領域３１及び第２照射領域１３２が被照射物に形成されることにより、被照射物は全体的に黄赤色光でぼんやりと照らされるとともに、ダウンライトによって照らされている被照射物の中心部分が白色光によってスポット的に明るく照らされる。従って、被照射物の特に強調したい部分が白色光によって鮮明に照らし出され、黄赤色光によって他の周辺部分が当該強調したい部分よりも不鮮明に（ぼんやりと）照らし出されるため、全体として高い空間演出を行うことが可能になる。本変形例のような照射面を形成するダウンライトは、特に、展示物用の照明に好適に用いられることになる。
【００６２】
＜変形例２＞
上述した実施例及び変形例１においては、第１ＬＥＤ１２の設置領域を第２ＬＥＤ１３、１１３が囲むように第２ＬＥＤ１３、１１３が配置されていたが、複数の第１ＬＥＤをライン状に配置し、複数の第２ＬＥＤを第１ＬＥＤの列に対して平行になるようにライン上に配置し、上述した実施例及び変形例１と同様に、第１レンズ及び第２レンズの出射方向のそれぞれに第１レンズ及び第２レンズを配置してもよい。このような場合について、図１６乃至図１８を参照しつつ詳細に説明する。
【００６３】
図１６は、本変形例に係るＬＥＤモジュール２０２の正面図である。図１７は、図１６の線XVII-XVIIに沿った断面図である。図１８は、本変形例に係るＬＥＤモジュール２０２を備えるダウンライトを使用した場合の被照射物における光の照射領域の分布を示した模式図である。なお、本変形例における第１ＬＥＤ、第２ＬＥＤ、第１レンズ、及び第２レンズは、実施例と同一であるため、その詳細な説明は省略する。
【００６４】
図１６及び図１７に示すように、ＬＥＤモジュール２０２は、平面が長方形状の基板２１１上に７個の第１ＬＥＤ１２及び７個の第２ＬＥＤ１３を設けてなる発光体部２１４と、平面が長方形状のレンズホルダ２１５上に７個の第１レンズ１６及び７個の第２レンズ１７を設けてなる光学体部２１８と、をネジ等の接合部材（図示せず）によって接合した構造を有している。
【００６５】
発光体部２１４においては、基板２１１の長辺方向に沿って一列に７個の第１ＬＥＤ１２がライン状に配置され、７個の第１ＬＥＤ１２に隣り合うとともに平行に７個の第２ＬＥＤ１３がライン状に配置されている。すなわち、７個の第１ＬＥＤ１２及び７個の第２ＬＥＤ１３が基板２１１の長辺方向に沿って平行に配置されている。
【００６６】
基板２１１は、実施例に係る基板１１と比較して全体的な外形が異なるだけである。従って、基板２１１は、基板１１と同様に、アルミ材、絶縁層、及び銅箔を順次積層して形成されるアルミ基板、その他の金属基板、又は絶縁基板を用いることができる。
【００６７】
また、図１６及び図１７に示すように、光学体部２１８においては、レンズホルダ２１５の長辺方向に沿って一列に７個の第１レンズ１６がライン状に配置され、７個の第１レンズ１６に隣り合うとともに平行に７個の第２レンズ１７がライン状に配置されている。すなわち、７個の第１レンズ１６及び７個の第２レンズ１７が基板２１１の長辺方向に沿って平行に配置されている。実施例と同様に、発光体部２１４と光学体部２１８とを接合した状態において、１つの第１ＬＥＤ１２に対して１つの第１レンズ１６が対向し、１つの第２ＬＥＤ１３に対して１つの第２レンズ１７が対向する。すなわち、第１ＬＥＤ１２の光出射方向に１つの第１レンズ１６が配置され、第２ＬＥＤ１３の光出射方向に１つの第２レンズ１７が配置されることになる。このような構成により、１つの第１ＬＥＤ１２と１つの第１レンズ１６とが対応するように組をなして第１照射部２４１を形成し、１つの第２ＬＥＤ１３と１つの第２レンズ１７とが対応するように組をなして第２照射部２４２を形成し、１つのＬＥＤから出射する光は、それに対応する１つのレンズを介して出射することになる。
【００６８】
レンズホルダ２１５は、実施例に係るレンズホルダ１５と比較して、レンズが配置される凹部の数量及び位置、並びに全体的な外形が異なるだけである。従って、レンズホルダ２１５は、レンズホルダ１５と同様に、透光性を有する部材から構成されており、例えば、透明ガラス基板又は透明プラスチック基板等の透明基板を用いることができる。
【００６９】
実施例と同様に、本変形例に係るＬＥＤモジュール２０２において、第１ＬＥＤ１２から出射された白色光は、第１レンズ１６を介して被照射物に向けて出射する。本変形例において、第１レンズ１６の１／２ビーム角は２５°であって比較的に小さいことから、図１７に示すように、第１レンズ１６から出射する白色光は、第１レンズ１６の光出射面１６ａから広がることなく、概ね光出射面１６ａに直交する方向に出射する。
【００７０】
一方、本変形例に係るＬＥＤモジュール２０２において、第２ＬＥＤ１３から出射された青色光は、第２レンズ１７を介して被照射物に向けて出射する。本変形例において、第２レンズ１７の１／２ビーム角は５０°であって比較的に大きいことから、図１７に示すように、第２レンズ１７から出射する青色光は、第１レンズ１６の光出射面１６ａから広がり、光出射面１６ａに対して直交する方向及び傾斜する方向に出射する。
【００７１】
図１７に示すような矢印の方向に向かって白色光及び青色光が出射することにより、被照射物には、図１８に示すように、被照射物を白色光によって鮮明に照らす第１照射領域２３１と、第１照射領域の周辺領域を青色光によって照らす第２照射領域２３２と、が形成される。ここで、第２レンズ１７から出射する青色光の一部は、第１レンズ１６から照射される白色光の光路に向かって出射することから、当該青色光の一部は第１照射領域２３１にも到達しているとも考えられるが、第１レンズ１６から出射する白色光と比較してその光量が少ないため、第１照射領域２３１の形成にはほとんど寄与することがない。
【００７２】
本変形例においては、７個の第１ＬＥＤ１２及び７個の第２ＬＥＤ１３を平行であって
ライン状に配置しているため、第１照射領域２３１及び第２照射領域２３２は楕円状に形成される。また、第１ＬＥＤ１２及び第２ＬＥＤ１３は隣り合うものの、第１ＬＥＤ１２に対して第２ＬＥＤ１３が対称に配置されていないため、第１照射領域２３１は第２照射領域２３２の中心に位置していない。更に、第２照射領域２３２は、第１照射領域２３１との境界から外側に向かうにつれて第２レンズ１７から照射する青色光の光量が徐々に少なくなるため、第１照射領域２３１との境界から外側に向かうにつれて徐々に薄暗い青色になる。
【００７３】
このような第１照射領域２３１及び第２照射領域２３２が被照射物に形成されることにより、被照射物は全体的に青色光でぼんやりと照らされるとともに、ダウンライトによって照らされている被照射物の中心部分が白色光によってスポット的に明るく照らされる。従って、被照射物の特に強調したい部分が白色光によって鮮明に照らし出され、青色光によって他の周辺部分が当該強調したい部分よりも不鮮明に（ぼんやりと）照らし出されるため、全体として高い空間演出を行うことが可能になる。本変形例のような照射面を形成するＬＥＤモジュール２０２を備えるダウンライトは、特に、直方体状の水槽の照明に好適に用いられることになる。
【００７４】
本変形例においては、基板２１１上に７個の第１ＬＥＤ１２及び７個の第２ＬＥＤ１３を平行に１列ずつ配置し、レンズホルダ２１５上に７個の第１レンズ１６及び７個の第２レンズ１７を平行に１列ずつ配置していたが、図１９に示すように、第１ＬＥＤ１２を挟むように第２ＬＥＤ１３を２列配置し、第１レンズ１６を挟むように第２レンズ１７を２列配置してもよい。このような場合には、第２ＬＥＤ１３及び第２レンズ１７の数量が増加し且つＬＥＤモジュール２０２の寸法が大きくなってしまうが、上述した場合と比較して、第１照射領域２３１を第２照射領域２３２の中央に容易に形成することができる。
【００７５】
また、図２０に示すように、第１ＬＥＤ１２と第２ＬＥＤ１３とを交互に配置し、第１レンズ１６及び第２レンズ１７を交互に配置してもよい。すなわち、第１ＬＥＤ１２を第２ＬＥＤ１３が挟むようにして、第１ＬＥＤ１２及び第２ＬＥＤ１３を同一のライン状に配置し、第１レンズ１６を第２レンズ１７が挟むようにして、第１レンズ１６及び第２レンズ１７を同一のライン状に配置してもよい。このような場合には、第２ＬＥＤ１３及び第２レンズ１７の数量の増加を抑制しつつ、ＬＥＤモジュール２０２の小型化を容易に図ることができ、更には図１６の配置例と比較して、第１照射領域２３１を第２照射領域２３２の中央に容易に形成することができる。
【産業上の利用可能性】
【００７６】
本発明に係る照明装置は、例えば水槽用の照明、又は物品の展示用の照明の用途等の様々な照明分野に用いることができる。
【符号の説明】
【００７７】
１    ダウンライト（照明装置）
２    ＬＥＤモジュール
３    本体
４    開口
５    筐体
６    外枠
７    固定部材
１１    基板
１２    第１ＬＥＤ（第１発光素子）
１３    第２ＬＥＤ（第２発光素子）
１４    発光体部
１５    レンズホルダ
１６    第１レンズ（第１光学部材）
１６ａ    光出射面
１６ｂ    光入射面
１６ｃ    開口
１７    第２レンズ（第２光学部材）
１８    光学体部
１９    外部接続端子
２１    凹部
３１    第１照射領域
３２    第２照射領域
【図１】
2013171777.tif 000003
【図２】
2013171777.tif 000004
【図３】
2013171777.tif 000005
【図４】
2013171777.tif 000006
【図５】
2013171777.tif 000007
【図６】
2013171777.tif 000008
【図７】
2013171777.tif 000009
【図８】
2013171777.tif 000010
【図９】
2013171777.tif 000011
【図１０】
2013171777.tif 000012
【図１１】
2013171777.tif 000013
【図１２】
2013171777.tif 000014
【図１４】
2013171777.tif 000015
【図１５】
2013171777.tif 000016
【図１６】
2013171777.tif 000017
【図１７】
2013171777.tif 000018
【図１９】
2013171777.tif 000019
【図２０】
2013171777.tif 000020
【図１３】
2013171777.tif 000021
【図１８】
2013171777.tif 000022